(57)【要約】【課題】煩雑な操作を要することなく、特定チャンネルの放送を予め登録された者のみが聴取可能とする。【解決手段】放送局２から送信された放送波信号を受信する受信ユニット４等を有する車両の放送受信装置１において、特定チャンネルの放送を規制する放送規制手段１７と、複数の使用者がそれぞれ所持する複数の携帯機７〜９と、予め登録された使用者の識別情報を記憶する記憶手段１８と、上記放送受信装置１を使用する使用者の携帯機に付された個別の使用者識別情報と上記記憶手段１８に記憶された登録識別情報とを比較して両者が一致するか否かを判別する情報比較手段１９とを備え、この情報比較手段１９による判別結果に応じて上記放送受信装置１を使用する使用者が予め登録された使用者であることが確認された場合に、上記放送規制手段１７による放送規制状態を解除するように構成された。【選択図】図１
2009141398.tif 000002
【特許請求の範囲】
【請求項１】
放送局から送信された放送波信号を受信する受信ユニットと、受信した放送波信号に対応した放送データを出力する出力ユニットと、この出力ユニットを制御する制御ユニットとを備えた車両の放送受信装置において、この放送受信装置による特定チャンネルの放送を規制する放送規制手段と、複数の使用者がそれぞれ所持する複数の携帯機と、予め登録された使用者の識別情報を記憶する記憶手段と、上記放送受信装置を使用する使用者の携帯機に付された個別の使用者識別情報と上記記憶手段に記憶された登録識別情報とを比較して両者が一致するか否かを判別する情報比較手段とを備え、この情報比較手段による判別結果に応じて上記放送受信装置を使用する使用者が予め登録された使用者であることが確認された場合に、上記放送規制手段による放送規制状態を解除するように構成されたことを特徴とする車両の放送受信装置。
【請求項２】
複数の使用者がキーレスエントリー用の携帯機をそれぞれ所持するとともに、各携帯機に共通のキーレスエントリー用識別情報と、個別の使用者識別情報とが付されたことを特徴とする請求項１に記載の車両の放送受信装置。
【発明の詳細な説明】
【技術分野】
【０００１】
本発明は、放送局から送信された放送波信号を受信する受信ユニットと、受信した放送波信号に対応した放送データを出力する出力ユニットと、この出力ユニットを制御する制御ユニットとを備えた車両の放送受信装置に関するものである。
【背景技術】
【０００２】
従来、下記特許文献１に示されるように、放送局から通信衛星等を介して送信された放送波信号（デジタルラジオ信号）を受信機（受信ユニット）で受信し、受信した放送波信号に対応したオーディオ信号をスピーカに供給して音声出力することにより、ラジオ番組等を聴取できるように構成された車両用の受信機システムが提案されている。上記通信衛星を使用したラジオ放送等は、これを有料で提供することにより、ＣＭフリーとするとともに、ＣＤ並みの高音質が得られ、かつ利用者の好みや要求に対応した多数の番組を提供できるという利点がある。
【特許文献１】特開平２００６−２６１９０８号公報
【発明の開示】
【発明が解決しようとする課題】
【０００３】
上記放送局から提供される多数の番組から使用者のチャンネル操作に応じて選択された番組の放送データを出力するように構成されたものでは、年少者等には聞かせたくない過激な番組等も存在することがある。このため、上記各番組を放送する放送受信装置に、特定チャンネルの放送を禁止するロック手段を設け、上記放送局と契約した契約者が予め設定した暗証番号を入力した後に所定の操作を行った場合にのみ、上記ロック手段によるロック状態を解除して特定チャンネルの放送を聴取可能とする等により、過激な番組が年少者に聴取されること等を防止できるように構成することが望ましい。しかし、上記のように暗証番号を入力した後に所定の操作を行った場合にのみ、上記ロック手段によるロック状態を解除するように構成した場合には、このロック解除操作が煩雑であり、利便性に欠けるという問題がある。
【０００４】
本発明は、上記の問題点に鑑みてなされたものであり、煩雑な操作を要することなく、特定チャンネルの放送を予め登録された者のみが聴取可能とすることができる車両の放送受信装置を提供することを目的としている。
【課題を解決するための手段】
【０００５】
請求項１に係る発明は、放送局から送信された放送波信号を受信する受信ユニットと、受信した放送波信号に対応した放送データを出力する出力ユニットと、この出力ユニットを制御する制御ユニットとを備えた車両の放送受信装置において、この放送受信装置による特定チャンネルの放送を規制する放送規制手段と、複数の使用者がそれぞれ所持する複数の携帯機と、予め登録された使用者の識別情報を記憶する記憶手段と、上記放送受信装置を使用する使用者の携帯機に付された個別の使用者識別情報と上記記憶手段に記憶された登録識別情報とを比較して両者が一致するか否かを判別する情報比較手段とを備え、この情報比較手段による判別結果に応じて上記放送受信装置を使用する使用者が予め登録された使用者であることが確認された場合に、上記放送規制手段による放送規制状態を解除するように構成されたものである。
【０００６】
請求項２に係る発明は、上記請求項１に記載の車両の放送受信装置において、複数の使用者がキーレスエントリー用の携帯機をそれぞれ所持するとともに、各携帯機に共通のキーレスエントリー用識別情報と、個別の使用者識別情報とが付されたものである。
【発明の効果】
【０００７】
請求項１に係る発明では、例えば過激なギャグや卑猥な言葉などを使用することがあるコメディ番組等を放送する特定チャンネルの聴取可能な使用者を大人等のみに予め限定し、当該使用者の識別情報を上記記憶手段に記憶させるとともに、車両に乗り込んだ使用者が所持する携帯機に付された個別の使用者識別情報と、上記記憶手段に記憶された登録識別情報とを比較することにより、上記放送規制手段による放送規制状態を解除して上記特定チャンネルの放送を聴取可能とするか否かを判別するように構成したため、暗証番号を入力した後に所定の操作を行う等の煩雑な操作を要することなく、上記過激な番組が年少者等によって聴取されるのを防止しつつ、予め登録された使用者が上記特定チャンネルの放送を容易に聴取できるという利点がある。
【０００８】
請求項２に係る発明では、複数の使用者がキーレスエントリー用の携帯機をそれぞれ所持するとともに、各携帯機に共通のキーレスエントリー用識別情報と、個別の使用者識別情報とを付した構成としたため、上記キーレスエントリー装置に設けられた信号受信手段等を利用することにより、上記放送受信装置を使用する使用者が予め登録された使用者であるか否かを容易かつ適正に判別できるという利点がある。
【発明を実施するための最良の形態】
【０００９】
図１は、本発明に係る車両の放送受信装置１の実施形態を示している。この車両の放送受信装置１は、予め設定された放送局２から送信されるとともに通信衛星３を介して配信されたデジタルラジオ用の放送波信号を受信する受信ユニット４と、受信した放送波信号に対応した放送データを出力する出力ユニット５と、この出力ユニット５等を制御する制御ユニット６とを備えている。
【００１０】
また、上記車両には、当該車両を運転することを許可された複数の使用者がそれぞれ所持するリモコン操作器等からなるキーレスエントリー用の携帯機７〜９から送信されるロック指令信号またはアンロック指令信号等の出力信号を受信する信号受信手段１０と、この信号受信手段１０により受信された上記出力信号に付加されたキーレスエントリー用の識別情報が予め登録された識別情報と一致するか否かを判別するドアロック駆動手段１１とが設けられている。このドアロック駆動手段１１は、上記キーレスエントリー用の識別情報が予め登録された識別情報と一致すると判別された場合に、上記出力信号の駆動指令に応じて図外のドアロック機構をロック状態とし、あるいはアンロック状態とするように構成されている。
【００１１】
さらに、上記車両には、信号受信手段１０により受信された上記各携帯機７〜９の出力信号に基づき、この出力信号に付加された個別の使用者識別情報を読み取り、この使用者識別情報に対応した制御信号を、シート駆動装置およびミラー駆動装置等に出力して、これらを駆動することにより、運転席シートの前後位置やミラーの設置角度等を、運転席シートに着座する乗員の体格に対応させて調整する運転姿勢調整用の制御ユニット（図示せず）が設けられている。
【００１２】
上記放送受信装置１の受信ユニット４には、放送波信号を受信するアンテナ１２と、このアンテナ１２により受信した放送波信号の高周波処理および復調を行うチューナ１３と、このチューナ１３において処理された放送信号を上記出力ユニット５に送信する送信手段１４とが設けられている。また、上記出力ユニット５は、制御ユニット６により制御される音声出力回路１５と、この音声出力回路１５から送られた音声信号からなる放送データを出力するスピーカ１６とを備えている。
【００１３】
上記放送受信装置１の制御ユニット６には、出力ユニット５による特定チャンネルの放送を規制する放送規制手段１７と、予め登録された使用者の識別情報を記憶する記憶手段１８と、上記放送受信装置１を使用する可能性がある複数の使用者、つまり上記車両に乗り込んだ使用者がそれぞれ所持する上記キーレスエントリー用の携帯機７〜９から送信される出力信号に付加された個別の使用者識別情報を、上記記憶手段１８に記憶された登録識別情報と比較して、両者が一致するか否かを判別する情報比較手段１９とが設けられている。
【００１４】
上記放送規制手段１７は、放送局２と契約した車両の所有者等からなる主使用者が予め設定した特定チャンネル、あるいは予め登録した指定者のみが聴取可能なものとして放送局２が設定した特定チャンネルの放送を規制するものであり、上記放送受信装置１の操作スイッチ２０が使用者により操作されて上記特定チャンネルが選択された場合に、上記音声出力回路１５からスピーカ１６に対する上記特定チャンネルの放送データが出力されるのを原則として停止する機能を有している。
【００１５】
また、上記記憶手段１８は、放送局２と契約した主使用者が上記特定チャンネルの放送を聴取可能な者として予め登録した使用者の識別情報、つまり上記各携帯機７〜９を所持する複数の使用者のうち、上記特定チャンネルの放送を受信可能な者として予め登録された一人または複数の使用者であることを識別するための情報等を記憶するように構成されている。上記記憶手段１８に記憶された登録識別情報からなる記憶データは、必要に応じて上記記憶手段１８から読み出されて情報比較手段１９に出力される。
【００１６】
上記情報比較手段１９は、車両に乗り込んだ使用者が放送受信装置１の操作スイッチ２０を操作して上記特定チャンネルを選択した場合に、上記信号受信手段１０により受信された上記各携帯機７〜９の出力信号に基づき、上記操作スイッチ２０を操作した使用者が所持する携帯機の出力信号に付加された個別の使用者識別情報を読み取り、この使用者識別情報と、上記記憶手段１８に記憶された登録識別情報とを比較して両者が一致するか否かを判別するように構成されている。
【００１７】
そして、上記情報比較手段１９における判別の結果、上記両識別情報が一致して放送受信装置１を使用する使用者が予め登録された使用者であることが確認された場合には、上記情報比較手段１９から放送規制手段１７に規制解除信号が出力されることにより、この放送規制手段１７による放送規制状態が解除され、上記特定チャンネルが選択された場合においても、上記音声出力回路１５からスピーカ１６に対する放送データの出力が許容されるようになっている。
【００１８】
上記放送受信装置１の制御ユニット６による制御動作を図２に示すフローチャートに基づいて説明する。上記制御動作がスタートすると、まず信号受信手段１０においてキーレスエントリー用の携帯機７〜９等から送信された出力信号が受信されたか否かを判定し（ステップＳ１）、ＹＥＳと判定された時点で、上記出力信号に付加されたキーレスエントリー用の識別情報が予め登録された識別情報と一致するか否かを判別する（ステップＳ２）。このステップＳ２でＮＯと判定されて上記キーレスエントリー用の識別情報が予め登録された識別情報と一致しないことが確認された場合には、上記ドアロック駆動手段１１によりドアロック機構をアンロック状態とする操作を禁止した後（ステップＳ３）、リターンする。
【００１９】
上記ステップＳ２でＹＥＳと判定されて上記キーレスエントリー用の識別情報が予め登録された識別情報と一致することが確認された場合には、上記ドアロック機構をロック状態とする操作を許容し（ステップＳ４）、上記使用者が車両に乗り込んでエンジンを始動させること等を可能とした後、上記放送受信装置１の操作スイッチ２０が操作されたか否かを判定し（ステップＳ５）、ＹＥＳと判定された場合には、予め設定された特定チャンネルが上記操作スイッチ２０の操作により選択されたか否かを判定する（ステップＳ６）。このステップＳ６でＮＯと判定されて上記特定チャンネル以外の通常チャンネルが選択されたことが確認された場合には、上記出力ユニット５の音声出力回路１５およびスピーカ１６により上記通常チャンネルの放送波信号に対応した放送データを出力する（ステップＳ７）。
【００２０】
一方、上記ステップＳ６でＹＥＳと判定されて車両に乗り込んだ使用者により特定チャンネルが選択されたことが確認された場合には、上記操作スイッチ２０を操作した使用者が所持する携帯機の出力信号に付加された個別の使用者識別情報と、上記記憶手段１８に記憶された登録識別情報とを比較して両者が一致するか否かを判別する（ステップＳ８）。そして、この判別の結果、上記両識別情報が一致して放送受信装置１を使用する使用者が予め登録された使用者であることが確認された場合には、上記放送規制手段１７による放送規制状態を解除した後（ステップＳ９）、ステップＳ７に移行して上記特定チャンネルの放送波信号に対応した放送データを出力する。
【００２１】
また、上記ステップＳ８でＮＯと判定されて放送受信装置１を使用する使用者が予め登録された使用者でないことが確認された場合には、上記放送規制手段１７による放送規制状態を解除することなく、ステップＳ６に移行して上記制御動作を繰り返す。この結果、例えばステップＳ６でＹＥＳと判定され、上記特定チャンネル以外の通常チャンネルが選択されたことが確認された場合には、ステップＳ７に移行して上記通常チャンネルの放送波信号に対応した放送データが出力され、それ以外の場合には放送データの出力が禁止されることになる。
【００２２】
上記のように放送局２から送信された放送波信号を受信する受信ユニット４と、受信した放送波信号に対応した放送データを出力する出力ユニット５と、この出力ユニット５を制御する制御ユニット６とを備えた車両の放送受信装置１において、この放送受信装置１による特定チャンネルの放送を規制する放送規制手段１７と、複数の使用者がそれぞれ所持する複数の携帯機７〜８と、予め登録された使用者の識別情報を記憶する記憶手段１８と、上記放送受信装置１を使用する使用者の携帯機に付された個別の使用者識別情報と上記記憶手段１８に記憶された登録識別情報とを比較して両者が一致するか否かを判別する情報比較手段１９とを備え、この情報比較手段１９による判別結果に応じて上記放送受信装置１を使用する使用者が予め登録された使用者であることが確認された場合に、上記放送規制手段１７による放送規制状態を解除するように構成したため、煩雑な操作を要することなく、予め登録された者のみが上記特定チャンネルの放送を聴取可能とすることができる。
【００２３】
例えば、過激なギャグや卑猥な言葉などを使用することがあるコメディ番組を放送する特定チャンネルの聴取可能な使用者を大人のみに予め限定して、その識別情報を上記記憶手段１８に記憶させ、車両に乗り込んだ使用者が所持する携帯機に付された個別の使用者識別情報と、上記記憶手段１８に記憶された登録識別情報とを比較することにより、上記放送規制手段１７による放送規制状態を解除して上記特定チャンネルの放送を聴取可能とするか否かを判別するように構成すれば、上記過激な番組が年少者に聴取されることを防止できるとともに、暗証番号を入力した後に所定の操作を行う等の煩雑な操作を要することなく、予め登録された使用者のみが上記特定チャンネルの放送を容易に聴取できるという利点がある。
【００２４】
また、上記実施形態に示すように、複数の使用者がキーレスエントリー用の携帯機７〜９をそれぞれ所持するとともに、各携帯機７〜９に共通のキーレスエントリー用識別情報と、個別の使用者識別情報とを付した構成とすれば、当該車両を運転することを許可された使用者のみが車両に乗り込むことを可能とする上記キーレスエントリー装置に設けられた信号受信手段１０を利用することにより、上記放送受信装置１を使用する使用者が予め登録された使用者であるか否かを容易かつ適正に判別できるという利点がある。
【００２５】
すなわち、上記信号受信手段１０は、キーレスエントリー用の携帯機７〜９から送信される出力信号を受信して、この出力信号に付加されたキーレスエントリー用識別情報と、個別の使用者識別情報を読み取る機能を有しているため、上記信号受信手段１０において読み取られた使用者識別情報を利用することにより、上記放送受信装置１に別体の信号受信手段または情報読取手段等を設けることなく、簡単な構成で、上記キーレスエントリー装置の信号受信手段１０から送信されたデータに基づいて上記放送受信装置１を使用する使用者が予め登録された使用者であるか否かを正確に判別できるという利点がある。
【００２６】
なお、上記キーレスエントリー用の携帯機７〜９から送信される出力信号に応じて上記放送受信装置１を使用する使用者が予め登録された使用者であるか否かを判別するように構成された上記実施形態に代え、予め登録された使用者が個別に所持するイグニッションキーに個別の使用者識別情報が記録された磁気メモリまたはＩＣカード取り付けるとともに、この磁気メモリ等に記録された使用者識別情報を読み取る情報読取手段を上記放送受信装置１に設け、この情報読取手段により読み取られた個別の使用者識別情報と、上記記憶手段１８に記憶された登録識別情報とを比較することにより、両者が一致するか否かを上記情報比較手段１９において判別するように構成してもよい。
【００２７】
また、上記実施形態では、放送局２から送信されるとともに通信衛星３を介して配信されたデジタルラジオ用の放送波信号を受信して放送するラジオ受信機からなる車両の放送受信装置について本発明を適用した例について説明したが、上記ラジオ受信機に代えて、あるいはこのラジオ受信機とともに、テレビビジョン受像器を備えた車両の放送受信装置について本発明を適用可能であることは勿論である。
【図面の簡単な説明】
【００２８】
【図１】本発明に係る車両の放送受信装置の実施形態を示すブロック図である。
【図２】上記放送受信装置の制御動作を示すフローチャートである。
【符号の説明】
【００２９】
１  放送受信装置
２  放送局
４  受信ユニット
５  出力ユニット
６  制御ユニット
７〜９  携帯機
１７  放送規制手段
１８  記憶手段
１９  情報比較手段
【図１】
2009141398.tif 000003
【図２】
2009141398.tif 000004